(57)【要約】【課題】着物等の和服を仕立てるときの柄合わせの負担を軽減できる反物を提供する。【解決手段】反物１０は、互いに異なる柄Ａ，Ｂを有し、共に仕立てようとする和服の身頃の長さＬを２以上の自然数で除した長さＭを有する第１部分１１と第２部分１２が長手方向に交互に配置されて成る。【選択図】図１
0003202033.tif 000002
【実用新案登録請求の範囲】
【請求項１】
互いに異なる柄を有し、共に仕立てようとする和服の身頃の長さを２以上の自然数で除した長さを有する第１部分と第２部分が長手方向に交互に配置されて成る
ことを特徴とする反物。
【請求項２】
請求項１に記載の反物であって、
前記第１部分および前記第２部分各々の長さが、鯨尺で１尺２寸である
ことを特徴とする反物。
【請求項３】
請求項１または２に記載の反物であって、
前記第１部分と前記第２部分の境界において、前記第１部分に配置された柄と前記第２部分に配置された柄が連続性を有する
ことを特徴とする反物。
【請求項４】
請求項１から３のいずれかに記載の反物であって、
前記長手方向を上下方向と呼び、幅方向を左右方向と呼ぶ場合、
前記第１部分の右あるいは左に前記第２部分が上下逆に配置された場合に、前記第１部分と前記第２部分の境界において、前記第１部分に配置された柄と前記第２部分に配置された柄が連続性を有する
ことを特徴とする反物。
【考案の詳細な説明】
【技術分野】
【０００１】
本考案は、反物（すなわち、着物や羽織等の和服を１着仕立てるのに必要な長さおよび幅をもつ布地）に関するもので、特に、柄物の反物に関する。
【背景技術】
【０００２】
１着の着物は、１枚の反物（所謂、着尺地）を決まった位置で裁断して縫製することによって仕立てられている（例えば、特許文献１参照）。一般に、着尺地は、全体の長さが鯨尺で約３丈（約１１ｍ）であり、例えば、端から順に、「９尺６寸」の長さ部分が２個切り出されて、それぞれが身頃（右身頃と左身頃）になり、同じ「９尺６寸」の長さ部分が１個切り出されて衿およびおくみになり、３分の１の「３尺２寸」の長さ部分が２個切り出されて、それぞれが袖（右袖と左袖）になる。
【先行技術文献】
【特許文献】
【０００３】
【特許文献１】特開平８−２０９４０７号公報
【考案の概要】
【考案が解決しようとする課題】
【０００４】
反物には柄付きのものもあり、柄付きの反物を用いれば、柄のある着物や羽織を仕立てることができる。従来、柄のある反物を織る段階では、それが着物等に仕立てられたときに柄がどのように配置されるか細かくは計算されておらず、反物から着物等を仕立てる段階において、仕立て人が、出来上がった着物等の縫製位置で柄がちぐはぐにならないように、柄の位置を合わせる作業（所謂、柄合わせ）を行っていた。この作業は、熟練の仕立て人であっても容易ではなく、手間と時間がかかる難しい作業であった。
【０００５】
本考案が解決しようとする課題は、着物等の和服を仕立てるときの柄合わせの負担を軽減できる反物を提供することである。
【課題を解決するための手段】
【０００６】
上記課題を解決するために成された本考案に係る反物は、
互いに異なる柄を有し、共に仕立てようとする和服の身頃の長さを２以上の自然数で除した長さを有する第１部分と第２部分が長手方向に交互に配置されて成る
ことを特徴とする。
【０００７】
ただし、ここでいう「反物」とは、１着の和服を仕立てるのに必要な長さおよび幅を有する布地を指す。また、「身頃」とは、前身頃と後ろ身頃とが連なった布部分を指す。
【０００８】
この構成によると、反物に、ある柄（以下「第１柄」とも呼ぶ）が配置された第１部分と、第１柄とは異なる柄（以下「第２柄」とも呼ぶ）が配置された第２部分とが長手方向に交互に配置されており、第１部分および第２部分各々の長さ（以下「柄の単位長さ」とも呼ぶ）が、身頃の長さを２以上の自然数で除した長さとなっている。換言すると、身頃の長さは、柄の単位長さの自然数倍となっている。したがって、反物から身頃を切り出すときの裁断位置が第１部分と第２部分の境界になり、第１柄あるいは第２柄の途中で反物が裁断されることがない。これによって、着物等の和服を仕立てるときの柄合わせの負担が小さくなる。
【０００９】
好ましくは、前記反物は、
前記第１部分および前記第２部分各々の長さが、鯨尺で１尺２寸である。
【００１０】
ただし、周知の通り、「鯨尺」は和服の仕立てに用いられる単位であり、鯨尺の１尺は曲尺の１尺２寸５分に相当する。また、曲尺の「１尺」は、「（１０／３３）メートル」に相当する。したがって、鯨尺で「１尺２寸」は、曲尺の「１尺５寸」に相当し、「１５／３３（＝約０．４５４５）メートル」である。
【００１１】
また、好ましくは、前記反物は、
前記第１部分と前記第２部分の境界において、前記第１部分に配置された柄と前記第２部分に配置された柄が連続性を有する。
【００１２】
この構成によると、第１部分と第２部分の境界において、第１柄と第２柄が連続性を有するので、仕立てられた和服において、当該境界が目立たない。ただし、本明細書でいう「柄の連続性」では、境界における図や文字の有無を問わない。つまり、境界で図や文字がつながることによって第１柄と第２柄の連続性が担保されてもよいし、境界に図が存在せず色調等の連続性によって第１柄と第２柄の連続性が担保されてもよい。
【００１３】
好ましくは、前記反物は、
前記長手方向を上下方向と呼び、幅方向を左右方向と呼ぶ場合、
前記第１部分の右あるいは左に前記第２部分が上下逆に配置された場合に、前記第１部分と前記第２部分の境界において、前記第１部分に配置された柄と前記第２部分に配置された柄が連続性を有する。
【００１４】
この構成によると、第１部分の右あるいは左に第２部分が上下逆に配置された場合に、第１部分と第２部分との境界において、第１柄と第２柄が連続性を有するので、仕立てられた和服において、第１部分と第２部分とが当該位置関係で配置された場合に、第１部分と第２部分との境界が目立たない。
【考案の効果】
【００１５】
この考案によると、反物から身頃を切り出すときの裁断位置が、第１部分と第２部分との境界になり、第１部分の柄あるいは第２部分の柄の途中で反物が裁断されることがない。したがって、着物等の和服を仕立てるときの柄合わせの負担が小さくなる。
【図面の簡単な説明】
【００１６】
【図１】実施形態に係る反物の全体構成を説明するための図。
【図２】前記反物から仕立てられる着物を示す模式図。
【図３】第１部分と第２部分の柄の連続性を説明するための図。
【図４】第１部分とその周囲に配置される第２部分の柄の連続性を説明するための図。
【図５】第２部分とその周囲に配置される第１部分の柄の連続性を説明するための図。
【図６】第１部分および第２部分の構成例を示す図。
【図７】図６に例示される第１部分および第２部分を有する反物から仕立てられる着物の一部分を示す図。
【考案を実施するための形態】
【００１７】
以下、本考案に係る反物について実施形態を用いて説明する。
＜１．全体構成＞
実施形態に係る反物１０の全体構成について、図１、図２を参照しながら説明する。図１は、反物１０の全体構成を説明するための図である。図２は、反物１０から仕立てられる着物１００を示す模式図である。なお、図１、図２および以下に参照する各図では、反物１０あるいは着物１００の身頃の各部分における柄の種類を示す符号「Ａ」「Ｂ」が適宜付されている。ここで符号が上下逆になっている部分は、柄も上下逆になっていることを意味している。なお、図示の便宜上、図２では、袖、衿、おくみについては、柄の種類を示す符号の図示を省略している。
【００１８】
反物１０は、１着の着物１００を仕立てるのに必要な長さと幅をもつ布地（所謂、着尺地）である。なお、本明細書において単に「長さ」と呼ぶ場合は、反物１０の長手方向に沿う寸法を指す。また、「幅」は、反物１０の長手方向と直交する方向に沿う寸法を指す。実施形態に係る反物１０は、長さが鯨尺で例えば約３丈６尺（約１３．６４ｍ）であり、幅が例えば並幅（約３６ｃｍ）である。
【００１９】
この反物１０を着物１００に仕立てる際には、例えば、反物１０の端から順に、定められた長さＬの部分１０１が２個切り出されて、それぞれが身頃（右身頃と左身頃）とされ、当該部分１０１と同じ長さＬの部分１０２が１個切り出されて、衿およびおくみとされ、当該長さＬの例えば８分の３の長さの部分１０３が２個切り出されて、それぞれが袖（右袖と左袖）とされる。
【００２０】
以下において、身頃として切り出される部分１０１を、単に「身頃部分１０１」とも呼ぶ。身頃部分１０１は、前身頃と後ろ身頃とが連なった布部分である。すなわち、身頃部分１０１を長手方向の中央を境にした一方の部分（長さがＬ／２の部分）が前身頃となり、他方の部分が後ろ身頃となる。
【００２１】
反物１０には、長手方向に沿って、第１柄Ａが配置された第１部分１１と、第１柄Ａとは異なる第２柄Ｂが配置された第２部分１２とが、交互に配置されている。これらの柄Ａ，Ｂは、例えば反物１０を織る段階で、柄として織り込まれる。
【００２２】
第１部分１１の幅と第２部分１１の幅とは互いに等しく、当該幅は、反物１０の幅と同じ寸法である。
【００２３】
また、第１部分１１の長さと第２部分１１の長さとは互いに等しく、当該長さ（以下、「柄の単位長さ」と呼ぶ）Ｍは、身頃部分１０１の長さＬを２以上の自然数で除した長さとなっている。この実施形態に係る反物１０では、例えば、身頃部分１０１の長さＬは、鯨尺で９尺６寸（約３．６３６メートル）であり、柄の単位長さＭは、鯨尺で１尺２寸（約４５．４５センチメートル）（つまり、身頃部分１０１の長さＬを「８」で除した値）である。もっとも、各長さＬ，Ｍはこれらの数値に限られるものではない。
【００２４】
この構成によると、柄の単位長さ（すなわち、第１部分１１および第２部分１２各々の長さ）Ｍが、身頃部分１０１の長さＬを２以上の自然数で除した長さとなっている（つまり、身頃部分１０１の長さＬは、柄の単位長さＭの自然数倍となっている）ので、反物１０から身頃部分１０１を切り出すときの裁断位置が、第１部分１１と第２部分１２との境界になり、第１柄Ａあるいは第２柄Ｂの途中で反物１０が裁断されることがない。したがって、着物１００を仕立てるときの柄合わせの負担が小さくなる。
【００２５】
＜２．第１柄Ａと第２柄Ｂの連続性＞
第１部分１１に配置される柄（第１柄）Ａと第２部分１２に配置される柄（第２柄）Ｂとは、連続性をもつような図柄となっている。当該連続性について、図１、図２に加えて、図３〜図５を参照しながら説明する。図３は、第１部分１１と第２部分１２の柄の連続性を説明するための図である。図４は、第１部分１１とその周囲に配置される第２部分１２の柄の連続性を説明するための図である。図５は、第２部分１２とその周囲に配置される第１部分１１の柄の連続性を説明するための図である。
【００２６】
以下の説明において、反物１０の長手方向を上下方向と呼び、反物１０の幅方向を左右方向と呼ぶ。
【００２７】
第１柄Ａと第２柄Ｂとは、反物１０における第１部分１１と第２部分１２の境界において連続性を有する。つまり、第１部分１１の上端縁Ｔ１と第２部分１２の下端縁Ｔ１において、第１柄Ａと第２柄Ｂは連続性を有する。また、第１部分１１の下端縁Ｔ２と第２部分１２の上端縁Ｔ２において、第１柄Ａと第２柄Ｂは連続性を有する。したがって、反物１０から仕立てられた着物１００において、第１部分１１と第２部分１２との境界が目立たない。
【００２８】
特に好ましくは、第１部分１１の右あるいは左に第２部分１２が上下逆に配置された場合に、第１部分１１と第２部分１２の境界において、第１柄Ａと第２柄Ｂが連続性を有する。つまり、第１部分１１の右端縁Ｔ３と第２部分１２の右端縁Ｔ３において、第１柄Ａと第２柄Ｂは逆向きの連続性を有する。また、第１部分１１の左端縁Ｔ４と第２部分１２の左端縁Ｔ４において、第１柄Ａと第２柄Ｂは逆向きの連続性を有する。したがって、反物１０から仕立てられた着物１００において、第１部分１１と第２部分１２とが当該位置関係で配置された場合に、第１部分１１と第２部分１２との境界が目立たない。
【００２９】
なお、ここでいう「柄の連続性」では、境界における図や文字の有無を問わない。つまり、境界で図や文字がつながることによって第１柄Ａと第２柄Ｂの連続性が担保されてもよいし、境界に図が存在せず色調等の連続性によって第１柄Ａと第２柄Ｂの連続性が担保されてもよい。
【００３０】
＜３．柄の具体例＞
図６には、第１柄Ａが配置された第１部分１１および第２柄Ｂが配置された第２部分１２の具体例が示されている。また、図７には、図６に例示される第１部分１１および第２部分１２を有する反物１０から仕立てられる着物１００の一部分が示されている。なお、図６、図７では、理解を助けるために、柄の種類と向きを示す符号「Ａ」「Ｂ」が付されているが、これらの符号は実際の柄を構成する要素ではない。
【００３１】
ここに示されるように、反物１０を用いれば、仕立て人が複雑な柄合わせを行わずとも柄がちぐはぐになることが無く、柄が整然と並んだ着物１００を容易に仕立てることができる。
【００３２】
＜４．他の実施形態＞
上記の実施形態において、第１柄Ａと第２柄Ｂとが、上下の境界Ｔ１，Ｔ２や左右の境界Ｔ３，Ｔ４において連続性を有することは必須ではない。また、第１柄Ａと第２柄Ｂとは、上下の境界Ｔ１，Ｔ２および左右の境界Ｔ３，Ｔ４のうちの少なくとも１つにおいて連続性を有するものであってもよい。例えば、第１柄Ａと第２柄Ｂとは、上下の境界Ｔ１，Ｔ２のみにおいて連続性を有し、左右の境界Ｔ３，Ｔ４においては連続性を有さないものであってもよい。
【００３３】
上記の実施形態において、反物１０からは着物１００が仕立てられるものとしたが、本考案は、着物以外の各種の和服（例えば、羽織）を仕立てるための反物に適用することもできる。
【００３４】
上記の実施形態においては、反物１０には織りの段階で柄Ａ，Ｂが織り込まれるものとしたが、染めの段階で柄Ａ，Ｂが描かれてもよい。
【符号の説明】
【００３５】
１０  反物
１０１  身頃部分
１０２  衿およびおくみになる部分
１０３  袖になる部分
１１  第１部分
１２  第２部分
Ａ  第１柄
Ｂ  第２柄
Ｌ  身頃になる部分の長さ
Ｍ  柄の単位長さ
１００  着物
【図１】
0003202033.tif 000003
【図２】
0003202033.tif 000004
【図３】
0003202033.tif 000005
【図４】
0003202033.tif 000006
【図５】
0003202033.tif 000007
【図６】
0003202033.tif 000008
【図７】
0003202033.tif 000009